(57)【要約】【課題】  サラウンドバックスピーカの配置場所が十分に確保できない場合であっても、サラウンドバック信号に応じた音声の音声出力を伴ったマルチチャンネルサラウンド再生を行う。【解決手段】  少なくともフロント信号とサラウンド信号とサラウンドバック信号に応じた音声を出力することによりマルチチャンネルサラウンド再生を行うマルチチャンネルオーディオシステムであって、フロント信号に応じた音声を出力するフロントスピーカ２０と、サラウンド信号に応じた音声を出力するサラウンドスピーカ５１，７１と、を有し、サラウンドスピーカ５１，７１は、そのサウンドスピーカの音声出力方向とは異なる方向に向けてサラウンドバック信号に応じた音声を出力するサラウンドバックスピーカ６１，８１を具備する、ことを特徴とする。【選択図】      図１
2006005701.tif 000002
【特許請求の範囲】
【請求項１】
少なくともフロント信号とサラウンド信号とサラウンドバック信号とを出力することによりマルチチャンネルサラウンド再生を行うマルチチャンネルオーディオシステムであって、
フロント信号に応じた音声を出力するフロントスピーカと、
サラウンド信号に応じた音声を出力するサラウンドスピーカと、を有し、
前記サラウンドスピーカは、該サラウンドスピーカの音声出力方向とは異なる方向に向けてサラウンドバック信号に応じた音声を出力するサラウンドバックスピーカが具備されている、
ことを特徴とするマルチチャンネルオーディオシステム。
【請求項２】
前記サラウンドバックスピーカは、前記サラウンドスピーカの音声出力方向とは異なる方向として、マルチチャンネルサラウンド再生を行う部屋の後方或いは側方の壁面の方向に向けてサラウンドバック信号に応じた音声出力を行う、
ことを特徴とする請求項１記載のマルチチャンネルオーディオシステム。
【請求項３】
前記サラウンドスピーカは、前記サラウンドバックスピーカの向きが変更可能な状態で具備される、
ことを特徴とする請求項１又は請求項２に記載のマルチチャンネルオーディオシステム。
【請求項４】
前記サラウンドスピーカは、前記サラウンドバックスピーカの向きを外部からの指示に基づいて変更する音声出力方向変更手段を有する、
ことを特徴とする請求項３記載のマルチチャンネルオーディオシステム。
【発明の詳細な説明】
【技術分野】
【０００１】
本発明は、ＣＤ、ＤＶＤ、ＭＤ等の記録媒体を再生し、或いはディジタル放送を受信してマルチチャンネルで音声を再生するマルチチャンネルオーディオシステムに関し、特に、マルチチャンネルサラウンド再生を実行する際のサラウンドスピーカ或いはサラウンドバックスピーカの配置の改良に関する。
【背景技術】
【０００２】
マルチチャンネルオーディオシステムでは、そのチャンネル数に応じて複数個のスピーカを配置することが知られている。
そして、マルチチャンネルサラウンド再生に関してのスピーカの配置については、例えば、フロントＬからフロントＲへの配置は聴取位置からみて６０°、フロントＬより８０°〜９０°側方の位置にサラウンドＬ、フロントＲより８０°〜９０°側方の位置にサラウンドＲを配置し、サラウンドＬとサラウンドＲとは１００°〜１２０°となるように配置構成を行うことが、ＩＴＵ−Ｒ勧告で推奨されている。
尚、ここで、ＩＴＵ−Ｒ勧告とは、国際電気通信連合による勧告「ＢＳ７７５−1」をいう。
又、このようなマルチチャンネルサラウンド再生のスピーカの配置構成に関しては、以下の特許文献１にも記載されている。
【０００３】
【特許文献１】特表２００１−５０１７８４号公報（第１頁、図１）
【発明の開示】
【発明が解決しようとする課題】
【０００４】
フロントＬ、センター、フロントＲ、サラウンドＬ、サラウンドＲ、サブウーファーによる５．１チャンネルでは、上述したＩＴＵ−Ｒ勧告で推奨されている配置構成に基づきスピーカを配置することでマルチチャンネルサラウンド再生を行うことが可能となる。
近年、以上の５．１チャンネルに対して、リスナーの後ろ側にサラウンドバックスピーカを追加した６．１チャンネルのマルチチャンネルサラウンド再生、或いは７．１チャンネルのマルチチャンネルサラウンド再生が可能なオーディオシステムが登場して来ている。
【０００５】
しかしながら、このような６．１チャンネル或いは７．１チャンネルのマルチチャンネルオーディオシステムでは、リスナーの後方にサラウンドバックスピーカを配置する十分な空間を確保できない場合がある。
このような場合、サラウンドバックスピーカを除いた状態でしかスピーカを配置できないとすると、デコーダやアンプ装置が６．１チャンネル或いは７．１チャンネルの能力を有しているにも拘わらず、実質的に５．１チャンネル相当のサラウンド再生（音声出力）しか行えないという問題が生じることになる。
【０００６】
本発明は、以上の問題点に鑑みてなされてものであり、サラウンドバックスピーカの配置場所が十分に確保できない場合であっても、サラウンドバック信号に応じた音声出力を伴ったマルチチャンネルサラウンド再生が可能なマルチチャンネルオーディオシステムを提供することを目的とする。
【課題を解決するための手段】
【０００７】
すなわち、課題を解決する手段としての本発明は、以下に説明するようなものである。
（１）請求項１記載の発明は、少なくともフロント信号とサラウンド信号とサラウンドバック信号とを出力することによりマルチチャンネルサラウンド再生を行うマルチチャンネルオーディオシステムであって、フロント信号に応じた音声を出力するフロントスピーカと、サラウンド信号に応じた音声を出力するサラウンドスピーカと、を有し、前記サラウンドスピーカは、該サラウンドスピーカの音声出力方向とは異なる方向に向けてサラウンドバック信号に応じた音声を出力するサラウンドバックスピーカが具備されている、ことを特徴とするマルチチャンネルオーディオシステムである。
【０００８】
この発明では、少なくともフロント信号とサラウンド信号とサラウンドバック信号に応じた音声を出力することによりマルチチャンネルサラウンド再生を行う際に、サラウンド信号に応じた音声を出力するサラウンドスピーカに、該サラウンドスピーカの音声出力方向とは異なる方向に向けてサラウンドバック信号に応じた音声を出力するサラウンドバックスピーカを具備して構成されている。
【０００９】
（２）請求項２記載の発明は、前記サラウンドバックスピーカは、前記サラウンドスピーカの音声出力方向とは異なる方向として、マルチチャンネルサラウンド再生を行う部屋の後方或いは側方の壁面の方向に向けてサラウンドバック信号に応じた音声出力を行う、ことを特徴とする請求項１記載のマルチチャンネルオーディオシステムである。
【００１０】
この発明では、少なくともフロント信号とサラウンド信号とサラウンドバック信号に応じた音声を出力することによりマルチチャンネルサラウンド再生を行う際に、サラウンド信号に応じた音声を出力するサラウンドスピーカに、該サラウンドスピーカの音声出力方向とは異なる方向に向けてサラウンドバック信号に応じた音声を出力するサラウンドバックスピーカが具備するように構成されおり、サラウンドバックスピーカは、サラウンドスピーカの音声出力方向とは異なる方向として、マルチチャンネルサラウンド再生を行う部屋の聴取位置の後方或いは側方の壁面の方向に向けてサラウンドバック信号に応じた音声出力を行うように構成されている。
【００１１】
（３）請求項３記載の発明は、前記サラウンドスピーカは、前記サラウンドバックスピーカの向きが変更可能な状態で具備される、ことを特徴とする請求項１又は請求項２に記載のマルチチャンネルオーディオシステムである。
【００１２】
この発明では、少なくともフロント信号とサラウンド信号とサラウンドバック信号に応じた音声を出力することによりマルチチャンネルサラウンド再生を行う際に、サラウンド信号に応じた音声を出力するサラウンドスピーカに、該サラウンドスピーカの音声出力方向とは異なる方向に向けてサラウンドバック信号に応じた音声を出力するサラウンドバックスピーカを具備するように構成されており、且つ、このサラウンドバックスピーカの向きが変更可能な状態で具備されている。
【００１３】
（４）請求項４記載の発明は、前記サラウンドスピーカは、前記サラウンドバックスピーカの向きを外部からの指示に基づいて変更する音声出力方向変更手段を有する、ことを特徴とする請求項３記載のマルチチャンネルオーディオシステムである。
【００１４】
この発明では、少なくともフロント信号とサラウンド信号とサラウンドバック信号に応じた音声を出力することによりマルチチャンネルサラウンド再生を行う際に、サラウンド信号に応じた音声を出力するサラウンドスピーカに、該サラウンドスピーカの音声出力方向とは異なる方向に向けてサラウンドバック信号に応じた音声を出力するサラウンドバックスピーカを具備するように構成されており、且つ、このサラウンドバックスピーカの向きが外部からの指示に基づいて変更可能な状態で具備されている。
【発明の効果】
【００１５】
以上、説明したように、本発明によれば、以下のような効果が得られる。
（１）請求項１記載の発明では、サラウンド信号とサラウンドバック信号とを含んだ状態で音声を出力することにより、マルチチャンネルサラウンド再生を行う際に、サラウンド信号に応じた音声を出力するサラウンドスピーカに、該サラウンドスピーカの音声出力方向とは異なる方向に向けてサラウンドバック信号に応じた音声を出力するサラウンドバックスピーカを具備するように構成されている。
【００１６】
このように構成されたマルチチャンネルオーディオシステムによれば、サラウンドバックスピーカの配置場所が十分に確保できない場合であっても、サラウンドスピーカに具備されたサラウンドバックスピーカからサラウンドバック音声がサラウンド音声とは異なる向きに出力されることになるため、サラウンドバック信号に応じた音声出力を伴ったマルチチャンネルサラウンド再生が可能になる。
【００１７】
（２）請求項２記載の発明では、サラウンド信号とサラウンドバック信号とを含んで音声出力することによりマルチチャンネルサラウンド再生を行う際に、サラウンド信号に応じた音声を出力するサラウンドスピーカに、該サラウンドスピーカの音声出力方向とは異なる方向に向けてサラウンドバック信号に応じた音声を出力するサラウンドバックスピーカを具備するように構成しており、サラウンドバックスピーカは、サラウンドスピーカの音声出力方向とは異なる方向として、マルチチャンネルサラウンド再生を行う部屋の聴取位置の後方或いは側方の壁面の方向に向けてサラウンドバック信号に応じた音声出力を行うように構成している。
【００１８】
このように構成されたマルチチャンネルオーディオシステムによれば、サラウンドバックスピーカの配置場所が十分に確保できない場合であっても、サラウンドスピーカに具備されたサラウンドバックスピーカからサラウンドバック音声がサラウンド音声とは異なる向き（聴取位置の後方或いは側方の壁面方向）に出力されるため、壁面で反射されたサラウンドバック音声が後方から聴取位置に到達するようになるため、サラウンドバック信号に応じた音声出力を伴ったマルチチャンネルサラウンド再生が可能になる。
【００１９】
（３）請求項３記載の発明では、サラウンド信号とサラウンドバック信号とを含んで音声出力することによりマルチチャンネルサラウンド再生を行う際に、サラウンド信号に応じた音声を出力するサラウンドスピーカに、該サラウンドスピーカの音声出力方向とは異なる方向に向けてサラウンドバック信号に応じた音声を出力するサラウンドバックスピーカを具備するように構成されており、且つ、このサラウンドバックスピーカの向きが変更可能な状態で具備されている。
【００２０】
このように構成されたマルチチャンネルオーディオシステムによれば、サラウンドバックスピーカの配置場所が十分に確保できない場合であっても、サラウンドスピーカに具備されたサラウンドバックスピーカからサラウンドバック音声がサラウンド音声とは異なる調整可能な向き（例えば、聴取位置の後方或いは側方の壁面方向）に出力されるために、壁面で反射されたサラウンドバック音声が後方から聴取位置に到達するようになり、よって、サラウンドバック信号に応じた音声出力を伴ったマルチチャンネルサラウンド再生が可能になる。
【００２１】
（４）請求項４記載の発明では、サラウンド信号とサラウンドバック信号とを含んで音声出力することによりマルチチャンネルサラウンド再生を行う際に、サラウンド信号に応じた音声を再生するサラウンドスピーカに、該サラウンドスピーカの音声出力方向とは異なる方向に向けてサラウンドバック信号に応じた音声を出力するサラウンドバックスピーカを具備するように構成されており、且つ、このサラウンドバックスピーカの向きが外部からの指示に基づいて変更可能な状態で具備されている。
【００２２】
このように構成されたマルチチャンネルオーディオシステムによれば、サラウンドバックスピーカの配置場所が十分に確保できない場合であっても、サラウンドスピーカに具備されたサラウンドバックスピーカからサラウンドバック音声がサラウンド音声とは異なる調整可能な向き（例えば、聴取位置の後方或いは側方の壁面方向）に出力されるために、外部からの指示によってサラウンドバック音声の出力方向を調整することで、壁面などで反射されたサラウンドバック音声が後方から聴取位置に到達するようになり、よって、サラウンドバック信号に応じた音声出力を伴ったマルチチャンネルサラウンド再生が可能になる。
【発明を実施するための最良の形態】
【００２３】
本発明の実施をするための最良の形態のマルチチャンネルオーディオシステムについて、図面を参照しつつ説明を行なう。
まず、図１を参照して、本発明の実施をするための最良の形態（以下、実施形態と称する）のマルチチャンネルオーディオシステムならびにその周辺について説明を行なう。
図１は、本発明の実施をするための最良の形態であるマルチチャンネルオーディオシステムにおけるスピーカをある部屋内に配置した構成の一例を説明する構成説明図である。
【００２４】
図１において、１はリスナーであり、１０はマルチチャンネル再生可能なオーディオ装置であり、２０はリスナーの正面中央前方に配置されてセンター信号に応じた音声（センター音声）を出力するセンタースピーカである。
同様に図１において、３０はリスナーの左前方に配置されてフロントＬ信号に応じた音声（フロントＬ音声）を出力するフロントＬスピーカであり、４０はリスナーの右前方に配置されてフロントＲ信号に応じた音声（フロントＲ音声）を出力するフロントＲスピーカであり、５０はリスナーの左側方に配置されてサラウンドＬ信号に応じた音声（サラウンドＬ音声）を出力するサラウンドＬスピーカであり、７０はリスナーの右側方に配置されてサラウンドＲ信号に応じた音声（サラウンドＲ音声）を出力するサラウンドＲスピーカである。
尚、図１において図示はされていないが、どこか任意の位置にサブウーファーが配置されている。
【００２５】
尚、この実施形態では、フロントＬスピーカ３０とフロントＲスピーカ４０とを、単にフロントスピーカと呼ぶこともある。又、サラウンドＬスピーカ５０とサラウンドＲスピーカ７０とを、単にサラウンドスピーカと呼ぶこともある。
ここで、フロントＬスピーカ３０、センタースピーカ２０、フロントＲスピーカ４０、サラウンドＬスピーカ５０、サラウンドＲスピーカ７０及びサブウーファーの配置の構成は、上述のＩＴＵ−Ｒ勧告で推奨されているスピーカの配置構成で配置することが望ましい。
【００２６】
又、図２に示すように、サラウンドＬ信号に応じた音声（サラウンドＬ音声）を出力するサラウンドＬスピーカ５０には、サラウンドＬスピーカユニット５１の出力方向（音声輻射方向）とは異なる方向に向けてサラウンドバックＬ信号に応じた音声（サラウンドバックＬ音声）を出力するサラウンドバックＬスピーカ６０を具備するように構成されている。
ここで、このサラウンドバックＬスピーカ６０は、サラウンドバックＬスピーカユニット６１を有している。そして、このサラウンドバックＬスピーカ６０は、サラウンドＬスピーカ５０に具備されてはいるが、独立したエンクロージャを有するものとして構成されていることが望ましい。
【００２７】
そして、サラウンドバックＬスピーカ６０は、サラウンドＬスピーカ５０の音声出力方向とは異なる方向として、マルチチャンネルサラウンド再生を行う部屋のリスナーの聴取位置の後方空間或いは後方壁面の方向に向けてサラウンドバックＬ音声の出力を行うようにしている。
つまり、サラウンドＬスピーカ５０は、背部にサラウンドＬスピーカユニット５１及びサラウンドバックＬスピーカユニット６１用の信号入力端子（図示省略）がそれぞれ備えられており、それらの信号入力端子にマルチチャンネルサラウンドに対応する信号が入力されるとサラウンドＬスピーカユニット５１及びサラウンドバックＬスピーカユニット６１は音声出力を行ってマルチチャンネルのサラウンドを構成するものである。
【００２８】
又、図２に示すように、サラウンドＲ信号に応じた音声（サラウンドＲ音声）を出力するサラウンドＲスピーカ７０には、サラウンドＲスピーカユニット７１の音声出力方向（音声輻射方向）とは異なる方向に向けてサラウンドバックＲ信号に応じた音声（サラウンドバックＲ音声）を出力するサラウンドバックＲスピーカ８０を具備するように構成されている。
【００２９】
ここで、このサラウンドバックＲスピーカ８０は、サラウンドバックＲスピーカユニット８１を有している。そして、このサラウンドバックＲスピーカ８０は、サラウンドＲスピーカ７０に具備されてはいるが、独立したエンクロージャを有するものとして構成されていることが望ましい。
又、サラウンドバックＲスピーカ８０は、サラウンドＲスピーカ７０の音声出力方向とは異なる方向として、マルチチャンネルサラウンド再生を行う部屋のリスナーの聴取位置の後方或いは後方壁面の方向に向けてサラウンドバックＲ音声の出力を行うようにしている。
【００３０】
つまり、サラウンドＲスピーカ７０は、背部にサラウンドＲスピーカユニット７１及びサラウンドバックＲスピーカユニット８１用の信号入力端子（図示省略）がそれぞれ備えられており、それらの信号入力端子にマルチチャンネルサラウンドに対応する信号が入力されるとサラウンドＲスピーカユニット７１及びサラウンドバックＲスピーカユニット８１は音声出力を行ってマルチチャンネルのサラウンドを構成するものである。
【００３１】
尚、この実施形態では、サラウンドバックＬスピーカ６０とサラウンドバックＲスピーカ８０とを、単にサラウンドバックスピーカと呼ぶこともある。
図１に示す具体例では、サラウンドバックＬスピーカ６０とサラウンドバックＲスピーカ８０とからは、リスナーの後方の壁面１００Ｂで反射されたサラウンドバックＬ音声とサラウンドバックＲ音声とがリスナーに到達するように配置されている。
【００３２】
尚、図１における６０’は、サラウンドバックＬスピーカ６０に関して、リスナーの聴取位置で感じる仮想的な位置である。
同様に、８０’はサラウンドバックＲスピーカ８０に関して、リスナーの聴取位置で感じる仮想的な位置である。
【００３３】
以上のように構成されたマルチチャンネルオーディオシステムによれば、リスニングルームの制約によってサラウンドバックＬスピーカ６０とサラウンドバックＲスピーカ８０の配置場所が十分に確保できない場合であっても、サラウンドスピーカに具備されたサラウンドバックスピーカからサラウンドバック音声がサラウンド音声とは異なる向きに再生されるようになるため、サラウンドバック信号に応じた音声出力を伴ったマルチチャンネルサラウンドの再生が可能になる。
【００３４】
すなわち、見かけ上はサラウンドバックスピーカを用いない５．１チャンネル再生のスピーカ配置であるにも拘わらず、実質的にサラウンドバックスピーカを用いた７．１チャンネルのマルチチャンネルサラウンド再生が可能になる。
尚、サラウンドバックＬスピーカ６０とサラウンドバックＲスピーカ８０とに同一のサラウンドバック信号を供給することで、見かけ上はサラウンドバックスピーカを用いない５．１チャンネル再生のスピーカ配置であるにも拘わらず、実質的にサラウンドバックスピーカを用いた６．１チャンネルのマルチチャンネルサラウンド再生が可能になる。
【００３５】
そして、この実施形態のマルチチャンネルオーディオシステムでは、既存のマルチチャンネルオーディオ装置からの６．１或いは７．１チャンネルのマルチチャンネルの音声を何ら加工することなく再生することが可能な構成になっている。
このため、アンプ側に専用のＤＳＰ（ディジタルシグナルプロセッサ）を設けたり、専用の処理を施す必要がないという利点を有している。
【００３６】
尚、上述の実施形態の変形例として、サラウンドバックＬスピーカ６０からサラウンドバックＬ音声を、左側方の壁面１００Ｌと後方の壁面１００Ｂとで反射させてリスナーの位置に到達させるような構成であってもよい。
同様に、サラウンドバックＲスピーカ８０からサラウンドバックＲ音声を、右側方の壁面１００Ｒと後方の壁面１００Ｂとで反射させてリスナーの位置に到達させるように構成してもよい。
【００３７】
なお、サラウンドスピーカもしくはサラウンドバックスピーカの少なくとも一方に、音響的反射部材或いは音響レンズを設け、互いのスピーカの音声出力方向を異なるようにすることが可能である。このようにすることで、サラウンドスピーカとサラウンドバックスピーカとを同一の向き（角度）に設置しておき、音響的反射部材或いは音響レンズを用いることで、音声出力方向を図１或いは図２と同等にすることが可能となる。
【００３８】
又、サラウンドＬスピーカ５０とサラウンドバックＬスピーカ６０とは、いずれかのスピーカが可変方向となるように可動状態で構成されていて、それぞれのスピーカの正面の向き（角度）が変更できることが望ましい。
同様に、サラウンドＲスピーカ７０とサラウンドバックＲスピーカ８０とは、いずれかのスピーカが可変方向となるように可動状態で構成されていて、それぞれのスピーカの正面の向き（角度）が変更できることが望ましい。
【００３９】
このように、サラウンドＬスピーカ５０（サラウンドバックＬスピーカ６０）とサラウンドＲスピーカ７０（サラウンドバックＲスピーカ８０）が互いの向きが可変であると、サラウンドＬスピーカ５０（サラウンドバックＬスピーカ６０）及びサラウンドＲスピーカ７０（サラウンドバックＲスピーカ８０）が配置される位置に基づいて、後方の壁面１００Ｂまでの距離に応じて、サラウンドバックＬ音声及びサラウンドバックＲ音声の反射角度を適切に設定することが可能になる。
【００４０】
尚、サラウンドＬスピーカ５０とサラウンドバックＬスピーカ６０との互いの向き、及び、サラウンドＲスピーカ７０とサラウンドバックＲスピーカ８０との互いの向きを調整するために、モータなどの出力源を有する角度（互いの向き）の調節機構（請求項における音声出力方向変更手段）をスピーカ内部に備えておき、オーディオ装置１０や図示されないリモコン送信機等からの制御信号に基づいて向きを変えるよう構成しておくことも可能である。
【００４１】
又、音声出力方向変更手段の他の例として、サラウンドスピーカもしくはサラウンドバックスピーカの少なくとも一方に設けた音響的反射部材或いは音響レンズの反射方向や屈折方向を変更できるように構成しておくことも可能である。
【００４２】
このようにすることで、リスナーが聴取位置に位置したままの状態で、サラウンドバックＬ音声とサラウンドバックＲ音声との状態を調整することが可能になる。この場合、サラウンドバック音声が含まれるテストトーンなどを再生することにより調整を行えば更に望ましい。
よって、このようにサラウンドバック音声の出力方向を調整することで、壁面などで適切な状態で反射されたサラウンドバック音声がリスナーの聴取後方から聴取位置に到達するようになるため、サラウンドバック音声の出力を伴ったマルチチャンネルサラウンド再生が可能になる。
【００４３】
又、図１及び図２では、サラウンドスピーカとサラウンドバックスピーカとを垂直に重ねたものを具体例に示したが、水平に並べた構成のものであってもよい。
更に、エンクロージャの形状は、立方体、直方体、円筒、円錐、球状の多面体など、どのような形状であってもよく、スピーカユニット、出力音声の反射等を基づき適宜選択するのが望ましい。
加えて、サラウンドスピーカにサラウンドバックスピーカが具備される関係だけではなく、連結部材などで連結した構造であってもよい。
【００４４】
尚、標準的な６．１チャンネル及び７．１チャンネルのマルチチャンネルの音声を再生して発明者が実験を行ったところ、サラウンドバックスピーカを実際に使用する６．１或いは７．１チャンネルの標準的なセッティングと比較しても、全くと言ってよい程に殆ど遜色がなく、サラウンドバック音声は若干横に広がっているが真後ろから聞こえることが確認された。
【図面の簡単な説明】
【００４５】
【図１】本発明の実施をするための最良の形態のシステム構成をある特定室内で使用する際の様子を説明する構成説明図である。
【図２】本発明の実施をするための最良の形態のサラウンドスピーカを示す斜視図である。
【符号の説明】
【００４６】
１０  オーディオ装置
２０  センタースピーカ
３０  フロントＬスピーカ
４０  フロントＲスピーカ
５０  サラウンドＬスピーカ
６０  サラウンドバックＬスピーカ
７０  サラウンドＲスピーカ
８０  サラウンドバックＲスピーカ
【図１】
2006005701.tif 000003
【図２】
2006005701.tif 000004